(57)【要約】【課題】マーキングできない書面でも書面の一部の文字列等を仮想的に目隠しできる電子マスク装置及び電子マスク装置システムを提供する。【解決手段】電子マスク装置１０は、光透過型の電子ペーパー１４とフイルム状スキャナ１５とタッチパネル１６と制御部１７とからなる。書面１１の上に電子マスク装置１０を載置すると、スキャナ１５がタイトル１８及びページ番号１９をドットパターンとして読み込み、このデータを制御部１７内のＣＰＵに送る。ＣＰＵはタイトル１８及びページ番号１９を認識して対応するマスクデータをメモリから検索する。マスクデータがメモリにある場合には、マスク部１２，１３が電子ペーパー１４に表示される。マスクデータがメモリにない場合等には、スタイラスペンで所望の文字列を囲むことによりマスクデータを登録する。【選択図】        図３
2006349771.tif 000002
【特許請求の範囲】
【請求項１】
可撓性を有し、書面の上に載置される光透過型の画像表示部と、
この周端部の外側に一体的に設けられ、前記書面の周辺部に記載された書面の付随情報を読み取る透明で可撓性を有するシート状スキャナと、
少なくとも前記画像表示部の上に積層され、指または専用のペンが触れた位置を検知して、前記書面の一部を目隠しするマスク部の領域を指定するタッチパネルと、
前記マスク部の領域データを前記付随情報と対応付けて記憶する記憶装置と、
前記シート状スキャナの側部に設けられ、前記画像表示部，シート状スキャナ，タッチパネル及び記憶装置の動作を制御し、前記シート状スキャナが読み取った書面の付随情報に対応するマスク部の領域データを記憶装置から読み出してマスク部を画像表示部に表示するとともに、前記タッチパネルで指定されたマスク部を画像表示部に表示する制御部とを備えたことを特徴とする電子マスク装置。
【請求項２】
前記記憶装置は、前記書面をカバーするブックカバーに一体的に設けられ、前記制御部と有線で接続されていることを特徴とする請求項１記載の電子マスク装置。
【請求項３】
可撓性を有し、書面の上に載置される光透過型の画像表示部と、
この周端部の外側に一体的に設けられ、前記書面の周辺部に記載された書面の付随情報を読み取る透明で可撓性を有するシート状スキャナと、
少なくとも前記画像表示部の上に積層され、指または専用のペンが触れた位置を検知して、前記書面の一部を目隠しするマスク部を指定するタッチパネルと、
前記マスク部の領域及び書面の付随情報の各データを電波信号に変換して外部の記憶装置と送受信する無線通信部と、
前記シート状スキャナの側部に設けられ、前記画像表示部，シート状スキャナ，タッチパネル及び無線通信部の動作を制御し、前記書面の付随情報に対応するマスク部の領域データを外部の記憶装置から無線で読み出してマスク部を画像表示部に表示するとともに、前記タッチパネルで指定されたマスク部を画像表示部に表示する制御部とを備えたことを特徴とする電子マスク装置。
【請求項４】
前記制御部は、前記書面の付随情報の位置情報に基づいて、前記書面に対する画像表示部の載置位置のずれ量を算出し、前記マスク部の領域データを修正することを特徴とする請求項１ないし３いずれか記載の電子マスク装置。
【請求項５】
前記マスク部は、各マスク部毎に表示と非表示とが切り替えられることを特徴とする請求項１ないし４いずれか記載の電子マスク装置。
【請求項６】
前記付随情報は、少なくとも書面のページ番号を含むことを特徴とする請求項１ないし５いずれか記載の電子マスク装置。
【請求項７】
前記画像表示部は、画面表示に必要な電力が画面切り替えの時のみに発生する電子ペーパーであることを特徴とする請求項１ないし６いずれか記載の電子マスク装置。
【請求項８】
可撓性を有し、書面の上に載置される光透過型の画像表示部と、この周端部の外側に一体的に設けられ、前記書面の周辺部に記載された書面の付随情報をスキャンしてこのスキャニングデータを出力する透明で可撓性を有するシート状スキャナと、少なくとも前記画像表示部の上に積層され、指または専用のペンが触れた位置を検知して、この接触位置データを出力するタッチパネルと、前記スキャニングデータ，接触位置データを電波信号に変換して送信するとともに、前記スキャニングデータに対応して画像表示部に書面の一部を目隠しするマスク部を表示するマスク部の領域データを受信する第１無線通信部とを備えた電子マスク装置と、
前記第１無線通信部から受信した電波信号をスキャニングデータ及び接触位置データに変換する第２無線通信部と、前記スキャニングデータに基づいて書面の付随情報を判別する付随情報判別部と、前記接触位置データに基づいて書面の一部を目隠しするマスク部を判別するマスク部判別部と、前記マスク部の領域データを書面の付随情報と対応付けて記憶する記憶部と、前記第２無線通信部がスキャニングデータのみを受信した際には、このスキャニングデータに基づいて判別された書面の付随情報に対応するマスク部の領域データを記憶部から検索する情報検索部と、この情報検索部によってマスク部の領域データが検出された場合には、第２無線通信部を用いてマスク部の領域データを送信する制御部とを備えたデータストレージ部と
からなることを特徴とする電子マスク装置システム。
【請求項９】
前記制御部は、前記書面の付随情報の位置情報に基づいて、前記書面に対する画像表示部の載置位置のずれ量を算出し、これによってマスク部の領域データを修正することを特徴とする請求項８記載の電子マスク装置システム。
【請求項１０】
前記画像表示部は、画面表示に必要な電力が画面切り替えの時のみに発生する電子ペーパーであることを特徴とする請求項８または９記載の電子マスク装置システム。
【発明の詳細な説明】
【技術分野】
【０００１】
本発明は、電子マスク装置及び電子マスク装置システムに関し、更に詳しくは書面の一部の文字列等を目隠しする電子マスク装置及び電子マスク装置システムに関する。
【背景技術】
【０００２】
学生が教科書や参考書等の書面に記載された文字列や図等（以下、文字列等という）を暗記する場合に、暗記したい文字列等を赤色のマーカーでマーキングした後、その書面の上に緑色の下敷きを重ねることにより、前記文字列等が仮想的に黒く塗りつぶされた状態にすることが従来から行われている。
【０００３】
一方、近年、電子ペーパー、シート状スキャナなど、可撓性を有する各種電子シートが開発されている。電子ペーパーは、電源を切っても表示が消えることのない性質（不揮発性）を有する表示装置であり、表示を変更する以外は電源を使用しないため、省電力の表示媒体として電子アルバムや広告等への使用が検討されている（特許文献１，２参照）。また、電子ペーパーの中には、光照射によって書き込みが行われる光書き込み型の電子ペーパーも知られている（特許文献３，４参照）。また、有機光ダイオードと有機トランジスタとが積層されてなり、曲がった紙面の文字や絵を読み取ることを可能とするシート状スキャナが知られている（特許文献５，６，非特許文献１参照）。
【特許文献１】特開２００２−０５５６５１号公報
【特許文献２】特開２００３−１６２２４５号公報
【特許文献３】特開２００５−０１１１８９号公報
【特許文献４】特開平１０−１６１１６１号公報
【特許文献５】特開２００３−３３２５５２号公報
【特許文献６】特開２００４−１６５９７８号公報
【非特許文献１】「日経マイクロデバイス」，日経ＢＰ社，２００５年１月，ｐ．５
【発明の開示】
【発明が解決しようとする課題】
【０００４】
上記緑色の下敷きを用いるには、教科書等の書面の一部に赤色でマーキングする必要があるから、マーキングができない書面については使用することができないという欠点がある。そこで、上記のような電子シートを用いて、暗記したい文字列等に仮想的な目隠しをする装置を作製することが考えられるが、そのような装置はこれまで実現されていなかった。
【０００５】
本発明は、上記課題を鑑みてなされたものであり、マーキングができない書面についても書面の一部の文字列等を仮想的に目隠しすることができる電子マスク装置及び電子マスク装置システムを提供することを目的とする。
【課題を解決するための手段】
【０００６】
上記目的を達成するために、本発明の電子マスク装置は、可撓性を有し、書面の上に載置される光透過型の画像表示部と、この周端部の外側に一体的に設けられ、前記書面の周辺部に記載された書面の付随情報を読み取る透明で可撓性を有するシート状スキャナと、少なくとも前記画像表示部の上に積層され、指または専用のペンが触れた位置を検知して、前記書面の一部を目隠しするマスク部の領域を指定するタッチパネルと、前記マスク部の領域データを前記付随情報と対応付けて記憶する記憶装置と、前記シート状スキャナの側部に設けられ、前記画像表示部，シート状スキャナ，タッチパネル及び記憶装置の動作を制御し、前記シート状スキャナが読み取った書面の付随情報に対応するマスク部の領域データを記憶装置から読み出してマスク部を画像表示部に表示するとともに、前記タッチパネルで指定されたマスク部を画像表示部に表示する制御部とを備えたことを特徴とする。また、前記記憶装置は、前記書面をカバーするブックカバーに一体的に設けられ、前記制御部と有線で接続されていることを特徴とする。
【０００７】
また、可撓性を有し、書面の上に載置される光透過型の画像表示部と、この周端部の外側に一体的に設けられ、前記書面の周辺部に記載された書面の付随情報を読み取る透明で可撓性を有するシート状スキャナと、少なくとも前記画像表示部の上に積層され、指または専用のペンが触れた位置を検知して、前記書面の一部を目隠しするマスク部を指定するタッチパネルと、前記マスク部の領域及び書面の付随情報の各データを電波信号に変換して外部の記憶装置と送受信する無線通信部と、前記シート状スキャナの側部に設けられ、前記画像表示部，シート状スキャナ，タッチパネル及び無線通信部の動作を制御し、前記書面の付随情報に対応するマスク部の領域データを外部の記憶装置から無線で読み出してマスク部を画像表示部に表示するとともに、前記タッチパネルで指定されたマスク部を画像表示部に表示する制御部とを備えたことを特徴とする。
【０００８】
また、前記制御部は、前記書面の付随情報の位置情報に基づいて、前記書面に対する画像表示部の載置位置のずれ量を算出し、前記マスク部の領域データを修正することを特徴とする。また、前記マスク部は、各マスク部毎に表示と非表示とが切り替えられることを特徴とする。また、前記付随情報は、少なくとも書面のページ番号を含むことを特徴とする。また、前記画像表示部は、画面表示に必要な電力が画面切り替えの時のみに発生する電子ペーパーであることを特徴とする。
【０００９】
また、本発明の電子マスク装置システムは、可撓性を有し、書面の上に載置される光透過型の画像表示部と、この周端部の外側に一体的に設けられ、前記書面の周辺部に記載された書面の付随情報をスキャンしてこのスキャニングデータを出力する透明で可撓性を有するシート状スキャナと、少なくとも前記画像表示部の上に積層され、指または専用のペンが触れた位置を検知して、この接触位置データを出力するタッチパネルと、前記スキャニングデータ，接触位置データを電波信号に変換して送信するとともに、前記スキャニングデータに対応して画像表示部に書面の一部を目隠しするマスク部を表示するマスク部の領域データを受信する第１無線通信部とを備えた電子マスク装置と、前記第１無線通信部から受信した電波信号をスキャニングデータ及び接触位置データに変換する第２無線通信部と、前記スキャニングデータに基づいて書面の付随情報を判別する付随情報判別部と、前記接触位置データに基づいて書面の一部を目隠しするマスク部を判別するマスク部判別部と、前記マスク部の領域データを書面の付随情報と対応付けて記憶する記憶部と、前記第２無線通信部がスキャニングデータのみを受信した際には、このスキャニングデータに基づいて判別された書面の付随情報に対応するマスク部の領域データを記憶部から検索する情報検索部と、この情報検索部によってマスク部の領域データが検出された場合には、第２無線通信部を用いてマスク部の領域データを送信する制御部とを備えたデータストレージ部とからなることを特徴とする。
【００１０】
また、前記制御部は、前記書面の付随情報の位置情報に基づいて、前記書面に対する画像表示部の載置位置のずれ量を算出し、これによってマスク部の領域データを修正することを特徴とする。また、前記画像表示部は、画面表示に必要な電力が画面切り替えの時のみに発生する電子ペーパーであることを特徴とする。
【発明の効果】
【００１１】
本発明の電子マスク装置によれば、シート状スキャナが読み取った書面の付随情報に対応するマスク部の領域データを記憶装置から読み出してマスク部を画像表示部に表示するとともに、タッチパネルで指定されたマスク部を画像表示部に表示するので、マーキングができない書面についても書面の一部の文字列等を仮想的に目隠しすることができる。また、制御部と有線で接続した記憶装置を書面のブックカバーに一体的に設けたので、電子マスク装置そのもののサイズや重さを変更することなく、記憶装置として大容量のハードディスク等を採用することができる。
【００１２】
また、書面の付随情報に対応するマスク部の領域データを外部の記憶装置から無線で読み出して画像表示部に表示するとともに、タッチパネルで指定されたマスク部を画像表示部に表示するので、マーキングができない書面についても書面の一部の文字列等を仮想的に目隠しすることができるとともに、記憶装置として大容量のハードディスク等を採用することができ、マスク部や付随情報等のデータを外部の記憶装置で一元管理できる。
【００１３】
また、書面の付随情報の位置情報に基づいて書面に対する画像表示部の載置位置のずれ量を算出してマスク部の領域データを修正するので、書面に対する載置位置がずれてもマスク部の表示位置を修正して所定の文字列等を正確に隠すことができる。また、マスク部は、各マスク部毎に表示と非表示とを切り替えられるようにすることが好ましい。また、付随情報は、少なくとも書面のページ番号を含むことが好ましい。また、前記画像表示部は、画面表示に必要な電力が画面切り替えの時のみに発生する電子ペーパーであるから、消費電力を極めて少なく抑えることができる。
【００１４】
また、本発明の電子マスク装置システムによれば、シート状スキャナによるスキャニングデータを電子マスク装置からデータストレージ部へ送信し、これを受信したデータストレージ部がスキャニングデータに基づいて判別した書面の付随情報に対応するマスク部の領域データを記憶部から検索し、マスク部の領域データがあればこれを電子マスク装置に送信し、なければ電子マスク装置から送られた接触位置データに基づいて書面の一部を目隠しするマスク部を判別し、このマスク部の領域データを書面の付随情報と対応付けて記憶するとともに電子マスク装置へ送信して画像表示部に表示するので、マーキングができない書面についても書面の一部の文字列等を仮想的に目隠しすることができるとともに、記憶装置として大容量のハードディスク等を採用することができ、マスク部や付随情報等のデータをデータストレージ部の記憶装置で一元管理できる。
【００１５】
また、データストレージ部では、書面の付随情報の位置情報に基づいて書面に対する画像表示部の載置位置のずれ量を算出してマスク部の領域データを修正し、電子マスク装置に送るので、書面に対する載置位置がずれてもマスク部の表示位置を修正して所定の文字列等を正確に隠すことができる。また、前記画像表示部は、画面表示に必要な電力が画面切り替えの時のみに発生する電子ペーパーであるから、消費電力を極めて少なく抑えることができる。
【発明を実施するための最良の形態】
【００１６】
図１，図２及び図３において、本発明の第１実施形態である電子マスク装置１０は、教科書等の書面１１の上に載置してマスク部１２，１３を表示することにより所望の文字列、例えば「ＵＶＷ」，「ｕｖｗ」を目隠しするもので、マスク部１２，１３を表示する矩形状をした光透過型の電子ペーパー１４と、この周縁部に連設して額縁状に設けられたフイルム状スキャナ（以下、単にスキャナという）１５と、これらの上面を被うように層設されたタッチパネル１６と、前記スキャナ１５及びタッチパネル１６の側部に設けられた制御部１７とからなる。
【００１７】
前記電子ペーパー１４，スキャナ１５及びタッチパネル１６は、いずれも数ｍｍ程度と薄く、可撓性を有し、かつ透明である。また、制御部１７を除く電子マスク装置１０の大きさ（教科書等の書面の上に載置される部分の大きさ）は、例えば教科書のサイズであるＡ５サイズになっている。
【００１８】
前記電子ペーパー１４としては、電界によってコレステリック液晶を選択反射／透過状態にするもの（特開平７−２８７２１４号公報等）が使用できる。コレステリック液晶は、周知のように、画面の光を通す（フォーカルコニック）状態、特定の光だけ反射する（プレーナ）状態のいずれのときでも電力を加えずにそのまま安定する「双安定性」（メモリ性）を有する。
【００１９】
前記スキャナ１５は、上記非特許文献１に開示されているように、有機光ダイオード（フォトダイオード）と有機トランジスタとを組み合わせたスキャナ素子を格子状に複数配設してなる周知の可撓性透明スキャナである。有機光ダイオードが書面１１の周辺部に印刷されたタイトル１８，ページ番号１９（本実施形態ではＰ．２５）を検出して光電変換し、各有機トランジスタをスイッチングすることで電気的なデータ（ドットパターン）として読み出される。
【００２０】
前記タッチパネル１６は、周知のように、指や専用のペン（スタイラスペン）で画面に触れることで、この触れた位置を検知して画面上の位置を指定し、制御部１７に指示を与える。図４（Ａ）に示すように、スタイラスペン２０で目隠ししたい文字列「ＵＶＷ」を囲むように閉じた囲み線２２を描くと、その内側の領域をマスク部１２であると制御部１７が認識してマスク部１２の領域データをメモリ３０（図５参照）に記憶する。また、同図（Ｂ）に示すように、線２３がクロスする前にスタイラスペン２０をタッチパネル１６の表面から離すと、マスク部１２は認識されない。
【００２１】
前記制御部１７の上面には、電源ボタン２４ａ，マスク部表示／非表示ボタン２４ｂ，モード切替ボタン２４ｃ、スタートボタン２４ｄ、及びストップボタン２４ｅからなる操作部２４が設けられている。前記電源ボタン２４ａは、押圧操作する毎に電子マスク装置１０の電源をオン／オフする。また、マスク部表示／非表示ボタン２４ｂは、押圧操作する毎にマスク部１２の表示／非表示を交互に繰り返す。
【００２２】
また、モード切替ボタン２４ｃは、マスク部１２の領域データ（以下マスクデータという）をメモリに記憶する「マスクデータ登録モード」やマスクデータをメモリから削除する「マスクデータ削除モード」等の動作モードを切り替える際に押圧操作される。スタートボタン２４ｄおよびストップボタン２４ｅは、モード切替ボタン２４ｃによって選択された動作モードを実行／停止させる際に押圧操作される。
【００２３】
電子マスク装置１０の電気的構成を示す図５において、制御部１７には、スキャナ１５，タッチパネル１６及び操作部２４からの信号を受けて電子マスク装置１０全体の制御を行うＣＰＵ２６と、このＣＰＵ２６が実行するプログラムや参照データが記憶されているフラッシュメモリ２８，前記メモリ３０と、電子マスク装置１０の各部に電源を供給する薄型のリチウムイオン電池等の電源電池３２と、電子ペーパー１４のドライバ３４とが設けられている。なお、電子ペーパー１４は、画面表示に必要な電力が画面切り替えの時のみに発生するため、電源電池３２の消耗を極めて少なくすることができる。
【００２４】
このように構成された電子マスク装置１０の作用を図６に示すフローチャートに従って説明する。まず、電源ボタン２４ａを押圧操作して電子マスク装置１０の電源をオンにする（ｓｔ１）。図３（Ａ）に示すような書面１１の上に電子マスク装置１０を載置する（ｓｔ２）と、同図（Ｂ）に示すように、電子ペーパー１４が文章４０を覆うとともに、スキャナ１５が文章４０の周囲にあるタイトル１８及びページ番号１９を覆う。
【００２５】
スキャナ１５は、タイトル１８及びページ番号１９をドットパターンとして読み込み、このデータをＣＰＵ２６に送る。ＣＰＵ２６は、フラッシュメモリ２８からパターン認識用のプログラムを読み出して実行し、タイトル１８及びページ番号１９を認識する（ｓｔ３）。ＣＰＵ２６は、タイトル１８及びページ番号１９に対応するマスクデータをメモリ３０から検索する（ｓｔ４）。
【００２６】
マスクデータがメモリ３０にある場合には、ＣＰＵ２６は、これを読み出してドライバ３４を介して電子ペーパー１４に表示する（ｓｔ５）。マスクデータがメモリ３０にない場合やタイトル１８，ページ番号１９を認識できない場合には、図７に示すように、マスクデータを登録するか否かを問う旨の表示４４が電子ペーパー１４に表示される（ｓｔ６）。
【００２７】
マスクデータを登録しない場合には、電源ボタン２４ａを押圧操作して電子マスク装置１０の電源をオフにする（ｓｔ７）。マスクデータを登録する場合には、モード切替ボタン２４ｃを押圧操作して電子ペーパー１４に順次に表示されるモードから「マスクデータ登録モード」を選択してスタートボタン２４ｄを押圧操作し、以後マスクデータ登録のシーケンスに従ってマスクデータの登録を行う（ｓｔ８）。マスクデータの登録が完了すると（ｓｔ９）、ＣＰＵ２６は、マスク部１２を電子ペーパー１４に表示する（ｓｔ５）。
【００２８】
前記マスクデータ登録について、図８のフローチャートに従い、図３，図４を参照して説明する。スタイラスペン２０を用いて目隠ししたい文字列「ＵＶＷ」を囲み線２２で囲むが、この時、スタイラスペン２０がタッチパネル１６に接触してから（ｓｔ１１）、スタイラスペン２０の軌跡をメモリ３０に記録する（ｓｔ１２）。
【００２９】
スタイラスペン２０がタッチパネル１６から離れた時点で（ｓｔ１３）、スタイラスペン２０の軌跡が交差したか否かを判断する（ｓｔ１４）。軌跡が交差していれば、囲み線２２は成立していると認められ、囲み線２２の位置データに基づいてマスク部１２の領域データがメモリ３０に記憶される（ｓｔ１５）。軌跡が交差していない場合には、囲み線２２は成立していないから、マスク部１２は認識されず（ｓｔ１６）、軌跡のデータはメモリ３０から消去される。
【００３０】
前記マスクデータ登録のシーケンスを繰り返すことにより、複数のマスク部１２を登録することができる。また、登録してあるマスクデータを消去したい場合には、モード切替ボタン２４ｃを押圧操作して電子ペーパー１４に順次に表示されるモードから「マスクデータ消去モード」を選択してスタートボタン２４ｄを押圧操作し、以後マスクデータ消去のシーケンスに従ってマスクデータの消去を行う。このマスクデータ消去モードでは、ページ毎に全てのマスク部を一斉に消去することができる他、個々のマスク部毎に指定して消去することもできる。
【００３１】
また、マスク部１２，１３，・・・が電子ペーパー１４に表示されている状態でマスク部表示／非表示ボタン２４ｂを押圧操作すると、マスク部１２，１３，・・・が一斉に非表示になる。また、この状態からマスク部表示／非表示ボタン２４ｂを押圧操作すると、マスク部１２，１３，・・・が一斉に表示される。
【００３２】
また、マスク部１２，１３，・・・のうち一部のマスク部を非表示にしたい場合には、マスク部１２，１３，・・・が電子ペーパー１４に表示されている状態で、非表示にしたいマスク部を指又はスタイラスペン２０でタッチすると、タッチされたマスク部が非表示になる。また、非表示になっているマスク部の位置を指又はスタイラスペン２０でタッチすると、そのタッチされた領域にマスクデータがあれば、該当するマスク部が表示される。
【００３３】
また、電子マスク装置１０は、図９に示すように、書面５０上に載置した際に、ずれて載置されることもあり得る。このような場合にも、マスク部１２，１３が対応する文字列「ＵＶＷ」，「ｕｖｗ」を正しく目隠しするように、マスク部１２，１３の表示位置を修正する。この修正を行うために、書面５０の異なる場所、本実施形態では書面５０の四隅のうち３つの隅部に、予め３個の星印４６，４７，４８を印刷し、電子マスク装置１０を書面５０上にずれることなく正しく載置した時の星印４６〜４８の座標をメモリに記憶しておく。
【００３４】
そして、図１０に示すように、例えば星印４７の本来あるべき二点鎖線で示す位置４７ａから実際に検出された破線で示す星印４７までのずれ量を計測すると、例えばＸ方向はａ，Ｙ方向はｂと計測される。また同様に、星印４６，４８についてもＸ方向，Ｙ方向のずれ量を計測し、これらの計測結果を総合して電子マスク装置１０の本来あるべき位置からのずれ量を距離と角度の両面で算出する。そして、このずれ量に基づいてマスク部１２，１３の領域データを修正してマスク部１２，１３の表示位置を変更する。なお、星印４６〜４８の印刷が行えない書面では、タイトル１８及びページ番号１９の各位置のずれ量を用いる。
【００３５】
次に、本発明の第２実施形態である電子マスク装置システムについて説明する。なお、前記第１実施形態と同じ部材には同じ符号を付して説明を省略する。電子マスク装置システム５２は、図１１に示すように、電子マスク装置５４と、これと無線で各種のデータの遣り取りを行うデータストレージ部５６とから構成される。前記電子マスク装置５４の制御部５８の側部には、データストレージ部５６とデータの送受信を無線で行う無線通信部６０が設けられている。
【００３６】
電子マスク装置５４とデータストレージ部５６の電気的構成を示す図１２において、電子ペーパー１４，スキャナ１５，タッチパネル１６及び無線通信部６０はコントローラ６１によって制御される。スキャナ１５から出力されるページ番号等の読取データや、タッチパネル１６から出力される指やスタイラスペン２０による接触データは、無線通信部６０に送られ、電波信号に変換されてデータストレージ部５６へ送信される。
【００３７】
データストレージ部５６には、無線通信部６２，入力処理部６４，コントローラ６６，メモリ部６８及び出力処理部７０が設けられている。前記無線通信部６２は、電子マスク装置５４の無線通信部６０と各種のデータを無線で送受信する。前記入力処理部６４には、ページ判別部７２とマスクデータ判別部７４とが設けられている。前記ページ判別部７２は、無線通信部６２からページ番号のドットパターンを受け取ると、パターン認識にてページ番号を判別する。また、マスクデータ判別部７４は、前記接触データを受け取ると、この接触データに基づいて、前記マスク部１２の位置や大きさを特定する。
【００３８】
前記メモリ部６８には、メモリ７６と、メモリ７６内のデータを検索する情報検索部７８とが設けられている。また、出力処理部７０には、書面５０に対する電子マスク装置５４のずれ量を検出するずれ量演算部８０と、マスクデータを生成するマスクデータ生成部８２とが設けられている。
【００３９】
このように構成された電子マスク装置システム５２の作用を図１３に示すフローチャートに従って説明する。電源ボタン２４ａを押圧操作して電子マスク装置５４の電源をオンにして（ｓｔ２１）、書面５０の上に電子マスク装置５４を載置すると（ｓｔ２２）、コントローラ６１の制御によりスキャナ１５がタイトル１８及びページ番号１９をドットパターンとして読み込み（ｓｔ２３）、このデータを無線通信部６０に送る。この無線通信部６０は、タイトル１８及びページ番号１９のドットパターンを電波信号に変換してデータストレージ部５６へ送信する（ｓｔ２４）。
【００４０】
前記電波信号を受け取った無線通信部６２は、電波信号をタイトル１８及びページ番号１９のドットパターンに変換して入力処理部６４に入力する（ｓｔ２５）。ページ判別部７２は、入力処理部６４から入力されたドットパターンに基づいてパターン認識によりタイトル１８及びページ番号１９を判別する（ｓｔ２６）。コントローラ６６は、情報検索部７８を駆動してタイトル１８及びページ番号１９に対応するマスクデータをメモリ７６から検索する（ｓｔ２７）。
【００４１】
前記タイトル１８及びページ番号１９に対応するマスクデータがメモリ７６にある場合には（ｓｔ２８）、情報検索部７８は、これを読み出して出力処理部７０に送り、無線通信部６２から無線で電子マスク装置５４に送る（ｓｔ２９）。無線通信部６０は、マスクデータを受け取ると（ｓｔ３０）、これを電子ペーパー１４に送る。電子ペーパー１４はマスクデータに基づいてマスク部１２を表示する（ｓｔ３１）。マスクデータがメモリ７６にない場合やタイトル１８，ページ番号１９を認識できない場合には、マスクデータを登録するか否かを問う旨の表示４４が電子ペーパー１４に表示される（図７参照）（ｓｔ３２）。
【００４２】
マスクデータを登録しない場合には、電源ボタン２４ａを押圧操作して電子マスク装置５４の電源をオフにする（ｓｔ３５）。マスクデータを登録する場合には、モード切替ボタン２４ｃを押圧操作して電子ペーパー１４に順次に表示されるモードから「マスクデータ登録モード」を選択してスタートボタン２４ｄを押圧操作する。マスクデータ登録モードにセットするコマンドは、コントローラ６１から無線通信部６０，６２を介してコントローラ６６に送られ、マスクデータ生成部８２が駆動される（ｓｔ３３）。
【００４３】
マスクデータ生成部８２は、図８に示すマスクデータ登録のシーケンスに従い、電子マスク装置５４の無線通信部６０からリアルタイムで送られてくるスタイラスペン２０の軌跡データに基づいて、マスク部１２の認識（ｓｔ１５）又は非認識（ｓｔ１６）を行い、マスク部１２が認識された場合には、このマスク部１２の領域データ（マスクデータ）をメモリ７６に記憶するとともに（ｓｔ３４）、コントローラ６６は無線通信部６２によりマスクデータを電子マスク装置５４に送る（ｓｔ２９）。無線通信部６０で受信されたマスクデータは（ｓｔ３０）、電子ペーパー１４に送られ、マスク部１２が表示される（ｓｔ３１）。
【００４４】
また、ずれ量演算部８０は、前記第１実施形態と同様に、前記星印４６〜４８のそれぞれについて、Ｘ方向，Ｙ方向のずれ量を計測し、これらの計測結果を総合して電子マスク装置５４の本来あるべき位置からのずれ量を距離と角度の両面で算出する。そして、このずれ量に基づいてマスク部１２，１３の各領域データを修正し、これらを無線通信部６２を介して電子マスク装置５４に送信する。電子マスク装置５４の電子ペーパー１４は、修正された領域データに基づいてマスク部１２，１３を表示する。
【００４５】
次に、本発明の第３実施形態を示す図１４において、第１実施形態からメモリ３０を除いた構成を有する電子マスク装置８６に、メモリ３０の代わりに、データケーブル８７で小型のハードディスク８８を接続し、このハードディスク８８をブックカバー８９に組み込んである。このブックカバー８９を所望の書物に被せることにより、書物と電子マスク装置８６とを一体的に携帯して電子マスク装置８６を効率よく使用することができるとともに、メモリよりも大量にマスク部等のデータを蓄積することができる。なお、前記ハードディスク８８としては、例えば６ＧＢのマイクロドライブ（登録商標）が使用できる。
【００４６】
以上説明した第２実施形態の電子マスク装置は、電波信号にて通信するようにしたが、本発明はこれに限定されず、赤外線やブルートゥース（Bluetooth）によって通信するようにしてもよい。また、上記第２実施形態では、データストレージ部５６側でページ判別やマスクデータ判別やマスクデータ生成等の処理を行うようにしたが、本発明はこれに限定されることなく、前記処理は第１実施形態と同様に電子マスク装置５４側で行い、マスクデータ等のデータのみをデータストレージ部５６側のメモリやハードディスクに記憶させるようにしてもよい。
【００４７】
また、上記実施形態では、タイトルやページ番号をパターン認識にて認識するようにしたが、本発明はこれに限定されることなく、例えばＯＣＲ機能にて認識するようにしてもよい。また、上記実施形態では、マスク部を囲み線で囲まれた領域の形状そのままとしたが、本発明はこれに限定されることなく、囲み線で囲まれた領域内のグリッドをマスク部として認識することにより、マスク部を矩形状としてもよい。
【００４８】
また、上記実施形態では、制御部に各種の操作ボタンを設けたが、タッチパネルを利用して所定位置を指等でタッチすると、例えばマスク部の表示／非表示等の所定動作を行うようにしてもよい。また、上記実施形態では、電子マスク装置を載置する位置のずれ量を計測するための表示に星印を用いたが、本発明はこれに限定されることなく、例えば丸印等でもよい。また、上記実施形態では、画像表示部として電子ペーパーを用いたが、本発明はこれに限定されることなく、例えば、電力消費は大きくなるが、光透過型の液晶パネルを用いることもできる。
【図面の簡単な説明】
【００４９】
【図１】本発明の第１実施形態である電子マスク装置を示す外観斜視図である。
【図２】電子マスク装置の縦断面図である。
【図３】書面（Ａ）と書面上に電子マスク装置を載置した状態（Ｂ）を示す説明図である。
【図４】マスク部の認識・非認識を示す説明図である。
【図５】第１実施形態の電気的構成を示すブロック図である。
【図６】第１実施形態の主なシーケンスを示すフローチャートである。
【図７】マスクデータが見つからない際の警告表示を示す説明図である。
【図８】マスクデータの登録手順を示すフローチャートである。
【図９】電子マスク装置が書面上にずれて載置された状態を示す説明図である。
【図１０】ずれ量の計測方法を示す説明図である。
【図１１】第２実施形態の電子マスク装置システムを示す説明図である。
【図１２】第２実施形態の電気的構成を示すブロック図である。
【図１３】第２実施形態の主なシーケンスを示すフローチャートである。
【図１４】第３実施形態のブックカバー付き電子マスク装置を示す説明図である。
【符号の説明】
【００５０】
１０，５４，８６  電子マスク装置
１１，５０  書面
１２，１３  マスク部
１４  電子ペーパー
１５  フイルム状スキャナ
１６  タッチパネル
１７，５８  制御部
１８  タイトル
１９  ページ番号
２０  スタイラスペン
２２  囲み線
２４  操作部
２６  ＣＰＵ
３０，７６  メモリ
４６〜４８  星印
５２  電子マスク装置システム
５６  データストレージ部
６０，６２  無線通信部
６１，６６  コントローラ
６８  メモリ部
７２  ページ判別部
７４  マスク部判別部
７８  情報検索部
８０  ずれ量演算部
８２  マスクデータ生成部
８９  ブックカバー
８８  ハードディスク
【図１】
2006349771.tif 000003
【図２】
2006349771.tif 000004
【図３】
2006349771.tif 000005
【図４】
2006349771.tif 000006
【図５】
2006349771.tif 000007
【図６】
2006349771.tif 000008
【図７】
2006349771.tif 000009
【図８】
2006349771.tif 000010
【図９】
2006349771.tif 000011
【図１０】
2006349771.tif 000012
【図１１】
2006349771.tif 000013
【図１２】
2006349771.tif 000014
【図１３】
2006349771.tif 000015
【図１４】
2006349771.tif 000016